(57)【要約】【課題】本発明は、従来必要とされた工程を不要としつつ、安価な工法により、電極パッドを露出させることができ、且つ、クリーン度を高くできる熱式フローセンサを提供することを目的とする。【解決手段】本発明の熱式フローセンサは、センサ側基材の一方の面に形成される、ヒータ、上流側温度センサ、下流側温度センサ、並びに、電極パッドを含む回路パターンを含む少なくとも１枚のセンサ形成ウェハと、流路側基材の一方の面に形成される、流路溝と、電極露出用溝とを備える少なくとも１枚の流路形成ウェハとを備え、センサ形成ウェハの回路パターンが形成された面と、流路形成ウェハの流路溝と電極露出用溝が形成された面とを接合し、ダイシングによりチップ形状に切断するとともに、電極露出用溝に対応する部分である除去部を切断し、前記電極パッドを露出させることを特徴とする。【選択図】図６
2016142710.tif 000002
【特許請求の範囲】
【請求項１】
センサ側基材と、
当該センサ側基材の一方の面に形成される、ヒータ、上流側温度センサ、下流側温度センサ、並びに、前記ヒータ、前記上流側温度センサ、及び、前記下流側温度センサに接続される電極パッドを含む回路パターンと
を備える少なくとも１枚のセンサ形成ウェハと、
流路側基材と、
当該流路側基材の一方の面に形成される、前記ヒータ、前記上流側温度センサ、及び、前記下流側温度センサに対応する部分に形成される流路溝と、
前記流路側基材の前記流路溝と同じ側の面に形成される、前記電極パッドに対応する部分に形成される電極露出用溝と
を備える少なくとも１枚の流路形成ウェハとを備え、
前記センサ形成ウェハの前記回路パターンが形成された面と、前記流路形成ウェハの前記流路溝と前記電極露出用溝が形成された面とを接合し、ダイシングによりチップ形状に切断するとともに、前記電極露出用溝に対応する部分である除去部を切断し、前記電極パッドを露出させることを特徴とする熱式フローセンサ。
【請求項２】
前記ダイシングは、前記流路形成ウェハの前記電極露出用溝に対応する部分である除去部と、前記流路溝が形成される前記除去部以外の部分を切断する第１のダイシングと、前記流路形成ウェハ及び前記センサ形成ウェハを切断しチップ形状にする第２のダイシングとを含むことを特徴とする請求項１に記載の熱式フローセンサ。
【請求項３】
前記流路溝と前記電極露出用溝は、エッチング加工により形成されることを特徴とする請求項１又は２に記載の熱式フローセンサ。
【請求項４】
前記回路パターンは、さらに２つの流体温度センサをさらに含むことを特徴とする請求項１乃至３のいずれか１項に記載の熱式フローセンサ。
【請求項５】
前記回路パターンは、ＴｉとＰｔにより形成されることを特徴とする請求項１乃至４のいずれか１項に記載の熱式フローセンサ。
【請求項６】
前記センサ側基材及び流路側基材の材質は、Ｓｉまたはガラスであることを特徴とする請求項１乃至５のいずれか１項に記載の熱式フローセンサ。
【請求項７】
前記センサ形成ウェハと前記流路形成ウェハとを保護膜同士を接合する低温プラズマ接合により接合することを特徴とする請求項１乃至６のいずれか１項に記載の熱式フローセンサ。
【請求項８】
前記第１のダイシングは、前記センサ形成ウェハ側に第１のダイシングテープを接着して実施され、前記第２のダイシングは、前記流路形成ウェハ側に第２のダイシングテープを接着して実施されることを特徴とする請求項２乃至７のいずれか１項に記載の熱式フローセンサ。
【請求項９】
センサ側基材の一方の面には、ヒータ、上流側温度センサ、下流側温度センサ、並びに、前記ヒータ、前記上流側温度センサ、及び、前記下流側温度センサに接続される電極パッドを含む回路パターンを形成し、少なくとも１枚のセンサ形成ウェハを作製する工程と、
流路側基材の一方の面には、前記ヒータ、前記上流側温度センサ、及び、前記下流側温度センサに対応する部分に、流路溝と、前記電極パッドに対応する部分に、電極露出用溝とを形成し、少なくとも１枚の流路形成ウェハを作製する工程と、
前記センサ形成ウェハの前記回路パターンが形成された面と、前記流路形成ウェハの前記流路溝と前記電極露出用溝が形成された面とを接合する工程と、
前記流路形成ウェハの前記電極露出用溝に対応する部分である除去部と、前記流路溝が形成される前記除去部以外の部分を切断する第１のダイシングを実施する工程と、
前記流路形成ウェハ及び前記センサ形成ウェハを切断しチップ形状にし、前記除去部を取り外し、前記電極パッドを露出させる第２のダイシングを実施する工程と
を備えることを特徴とする熱式フローセンサの製造方法。
【発明の詳細な説明】
【技術分野】
【０００１】
本発明は、熱式フローセンサに係り、特にセンサ形成ウェハと流体形成ウェハとを有する熱式フローセンサに関する。
【背景技術】
【０００２】
従来から、液体あるいは気体のいずれかである流体が移動する量を測定する流量計として、カルマン渦流量計、タービン式流量計など、様々な種類のものが知られている。流量計は、フローセンサとも呼ばれる。流体の量として体積を考えた場合には、体積流量といい、質量を考えた場合には、質量流量という。流量計のうち、熱式フローセンサが知られている。熱式フローセンサは、管路にヒータを巻きつけ、その上流と下流に温度センサを配置し、流体の流れにより、上流と下流の温度センサの出力バランスが流体の質量流量に比例して崩れることを利用して、流体の流量を測定する流量計である。熱式フローセンサは、質量流量を直接測定でき、可動部がなくメンテナンスが不要であり、微少流量まで測定でき、流量ゼロ付近まで測定でき、高温低温でも使用できるなどの長所があり、逆に、汚れに弱く主にクリーンな流体しか測定できず、流体毎に特性が変わるため流体毎に換算係数を校正する必要があるなどの短所がある。
【０００３】
一般に、熱式フローセンサでは、センサ感度の関係から流体に近い部分に温度センサを配置する構造が望ましい。ＭＥＭＳ（Ｍｉｃｒｏ  Ｅｌｅｃｔｒｏ  Ｍｅｃｈａｎｉｃａｌ  Ｓｙｓｔｅｍｓ）の製造工程上、流体内にセンサを配置するには、流路形成ウェハとセンサ形成ウェハとを接合する必要がある。このため、熱式フローセンサでは、センサ形成ウェハと流体形成ウェハを形成し、これら各ウェハを接合し、２層構造のセンサチップが従来から使用されている。しかし、センサチップと基板とを導通させる電極パッドは、接合後に露出させる必要がある。
【０００４】
従来技術では、特許文献１に示すように、ウェハに予めドリルやサンドブラスト等の機械加工により、電極パッド部分を露出させるだけの大きさの貫通穴を設け、接合後に電極パッドを露出させる技術が開示されている。また、特許文献２には、チップ小型化などの目的で、サンドブラストや深堀エッチング等で微細穴を設け、そこにスパッタやメッキ等で導電部材を埋め込んだ貫通電極を作成することにより、接合した後に電極パッドを露出する技術が開示されている。
【先行技術文献】
【特許文献】
【０００５】
【特許文献１】特開２０１２−９３１７３号公報
【特許文献２】特開２０１２−２０２９５０号公報
【発明の概要】
【発明が解決しようとする課題】
【０００６】
しかしながら、従来技術では、電極パッドを露出させるためだけに、半導体工程の前にウェハに機械加工を行う必要があり、また、特殊な半導体工程を複数増加する必要があるため、加工費が高くなり、安価なＭＥＭＳセンサチップを製作できないという課題があった。
【０００７】
また、センサ部のＰｔ薄膜を形成する前に、ウェハを削る加工（機械加工や反応性イオンエッチング（Ｒｅａｃｔｉｖｅ Ｉｏｎ Ｅｔｃｈｉｎｇ：ＲＩＥ））や、貫通電極で行うメッキ後のＣＭＰ等、パーティクルの発生源となる工程があるため、クリーン度を上げることができないという問題もあった。
【０００８】
従って、本発明の目的は、従来必要とされた余計な工程を不要としつつ、安価な工法により、電極パッドを露出させることができ、且つ、クリーン度を高くできる熱式フローセンサを提供することである。
【課題を解決するための手段】
【０００９】
上記課題を解決するために、本発明の熱式フローセンサは、センサ側基材と、当該センサ側基材の一方の面に形成される、ヒータ、上流側温度センサ、下流側温度センサ、並びに、上記ヒータ、上記上流側温度センサ、及び、上記下流側温度センサに接続される電極パッドを含む回路パターンとを備える少なくとも１枚のセンサ形成ウェハと、流路側基材と、当該流路側基材の一方の面に形成される、上記ヒータ、上記上流側温度センサ、及び、上記下流側温度センサに対応する部分に形成される流路溝と、上記流路側基材の上記流路溝と同じ側の面に形成される、上記電極パッドに対応する部分に形成される電極露出用溝とを備える少なくとも１枚の流路形成ウェハとを備え、上記センサ形成ウェハの上記回路パターンが形成された面と、上記流路形成ウェハの上記流路溝と上記電極露出用溝が形成された面とを接合し、ダイシングによりチップ形状に切断するとともに、前記電極露出用溝に対応する部分である除去部を切断し、前記電極パッドを露出させることを特徴とする。
【００１０】
上記ダイシングは、上記流路形成ウェハの上記電極露出用溝に対応する部分である除去部と、上記流路溝が形成される上記除去部以外の部分を切断する第１のダイシングと、上記流路形成ウェハ及び上記センサ形成ウェハを切断しチップ形状にする第２のダイシングとを含むことを特徴とする。
【００１１】
また、上記流路溝と上記電極露出用溝は、エッチング加工により形成されるものとしてもよい。
【００１２】
また、上記回路パターンは、さらに２つの流体温度センサをさらに含むものとしてもよい。
【００１３】
また、上記回路パターンは、ＴｉとＰｔにより形成されるものとしてもよい。
【００１４】
また、上記センサ側基材及び流路側基材の材質は、Ｓｉまたはガラスであるものとしてもよい。
【００１５】
また、上記センサ形成ウェハと上記流路形成ウェハとを保護膜同士を接合する低温プラズマ接合により接合するものとしてもよい。
【００１６】
また、上記第１のダイシングは、上記センサ形成ウェハ側に第１のダイシングテープを接着して実施され、上記第２のダイシングは、上記流路形成ウェハ側に第２のダイシングテープを接着して実施されるものとしてもよい。
【００１７】
上記課題を解決するために、熱式フローセンサの製造方法は、センサ側基材の一方の面には、ヒータ、上流側温度センサ、下流側温度センサ、並びに、上記ヒータ、上記上流側温度センサ、及び、上記下流側温度センサに接続される電極パッドを含む回路パターンを形成し、少なくとも１枚のセンサ形成ウェハを作製する工程と、流路側基材の一方の面には、上記ヒータ、上記上流側温度センサ、及び、上記下流側温度センサに対応する部分に、流路溝と、上記電極パッドに対応する部分に、電極露出用溝とを形成し、少なくとも１枚の流路形成ウェハを作製する工程と、上記センサ形成ウェハの上記回路パターンが形成された面と、上記流路形成ウェハの上記流路溝と上記電極露出用溝が形成された面とを接合する工程と、上記流路形成ウェハの上記電極露出用溝に対応する部分である除去部と、上記流路溝が形成される上記除去部以外の部分を切断する第１のダイシングを実施する工程と、上記流路形成ウェハ及び上記センサ形成ウェハを切断しチップ形状にし、上記除去部を取り外し、上記電極パッドを露出させる第２のダイシングを実施する工程とを備えることを特徴とする。
【発明の効果】
【００１８】
本発明の熱式フローセンサ及びその製造方法によれば、従来必要とされた余計な工程を不要としつつ、安価な工法により、電極パッドを露出させることができ、且つ、クリーン度を上げることができる。
【図面の簡単な説明】
【００１９】
【図１】本発明の一実施形態に係る熱式フローセンサを組み込んだ流路系の一例を示す図である。
【図２】本発明に係る熱式フローセンサのセンサ形成ウェハの製造工程の一例を示す図である。
【図３】センサ形成ウェハの構成の一例を示す図である。
【図４】本発明に係る熱式フローセンサの流路形成ウェハの製造工程を示す図である。
【図５】流路形成ウェハの構成の一例を示す図である。
【図６】本発明に係る熱式フローセンサのセンサ形成ウェハ及び流路形成ウェハの接合及びダイシング工程の一例を示す図である。
【図７】センサ形成ウェハ及び流路形成ウェハの接合及びダイシングの対応関係を示す図である。
【図８】本発明に係る熱式フローセンサのチップ形状の一例を示す図である。
【図９】本発明に係る熱式フローセンサの回路構成の一例を示す図である。
【発明を実施するための形態】
【００２０】
以下、本発明の実施形態を、図面を参照して説明する。
【００２１】
図１は、本発明の一実施形態に係る熱式フローセンサ１００を組み込んだ流路系の一例１０を示す図である。
【００２２】
図１において、流路系１０は、本体１１と、流体の大部分が流れる主流路１２と、流体を測定するための流路であるバイパス流路１３と、パッキン１４と、熱式フローセンサ１００とを備える。
【００２３】
本体１１は、液体あるいは気体のいずれかである流体が流れ、チップ形状の熱式フローセンサ１００により流体を測定する構造を形成する。材質は、特に限定しないが、腐食性の流体を流す場合には、耐腐食性能を有する材質を使用する必要がある。
【００２４】
主流路１２とバイパス流路１３は、特定の比率で分流するように構成され、バイパス流路１３に設けられた熱式フローセンサ１００によりバイパス流路を流れる流量を測定し、その測定した値に上述の特定の比率を掛け合わせることにより流路系１０を流れる全体の流量を測定することができる。
【００２５】
パッキン１４は、本体１１と、バイパス流路１３に設けられた熱式フローセンサ１００との間に設けられ、バイパス流路１３を流れる流体が漏れるのを防止する効果を有する。
【００２６】
熱式フローセンサ１００は、後述するようにセンサ形成ウェハ２００と流路形成ウェハ４００を接合し、チップ形状に形成される。熱式フローセンサ１００は、バイパス流路１３にヒータＲｈを設け、その上流側に上流温度センサＲｕと、その下流側に下流温度センサＲｄを配置し、流体の流れにより、上流と下流の温度センサの出力バランスが流体の質量流量に比例して崩れることを利用して、流体の流量を測定する流量計である。本実施形態では、ヒータ駆動回路として後述する定温度差駆動方式を使用するため、左側から右側へ流体が流れる時の流体温度センサＲｒ１と、右側から左側へ流体が流れる時の流体温度センサＲｒ２とをバイパス流路１３の経路上の上流温度センサＲｕと下流温度センサＲｄの外側に配置している。しかしながら、他の駆動方式、例えば、定電圧駆動方式、定電流駆動方式、定電力駆動方式などを使用する場合には、流体温度センサＲｒ１、Ｒｒ２等を設ける必要はない。
【００２７】
なお、本実施形態の熱式フローセンサ１００では、センサ形成ウェハ２００と流路形成ウェハ４００を一枚ずつ接合し、センサ検出部であるバイパス流路１３を一箇所だけ設ける構成としたが、これには限定されず、センサ形成ウェハ２００を複数枚設けても、流路形成ウェハ４００を複数枚設けても、パイパス流路１３を複数個所設けてもよい。
【００２８】
図２は、本発明に係る熱式フローセンサ１００のセンサ形成ウェハ２００の製造工程の一例を示す図である。
【００２９】
図２（ａ）は、センサ形成ウェハ２００を形成するセンサ側基材２０１を形成する工程を示す図である。センサ側基材２０１の材質は、シリコンやガラス等が使用できる。
【００３０】
図２（ｂ）は、センサ側基材２０１に酸化膜２０２を形成する工程を示す図である。酸化膜２０２は、後述する導体層２０４の絶縁膜として使用される。酸化膜２０２の形成は、高温炉の中にセンサ側基材２０１を挿入し、酸素または水蒸気をシリコンと反応させることにより、センサ側基材２０１に酸化膜２０２を成長させることにより形成される熱酸化法が使用できるが、これには、限定されない。
【００３１】
図２（ｃ）は、酸化膜２０２の上にレジスト２０３を形成する工程を示す図である。レジスト２０３は、フォトレジストが塗布されたセンサ側基材２０１に回路パターンが描写されたフォトマスクを重ねて光を照射し、照射した部分が変質し、この部分が溶け出し、残りの部分がセンサ側基材２０１にレジスト２０３として残るフォトレジスト法が使用できるが、これには限定されない。
【００３２】
図２（ｄ）は、酸化膜２０２及びレジスト２０３の上に導体層２０４を形成する工程を示す図である。ここでは、導体層２０４として、白金（Ｐｔ）被膜チタン（Ｔｉ）電極を使用するが、これには限定されない。
【００３３】
図２（ｅ）は、レジスト２０３をリフトオフし、センサ側基材２０１の導体層２０４を形成する工程を示す図である。リフトオフとは、レジスト２０３で形成したパターンに金属を蒸着し、その後、レジスト２０３を取り去ると、レジスト２０３がなかった部分にだけ金属のパターンが残るという手法である。
【００３４】
図２（ｆ）は、センサ側基材２０１と導体層２０４の上に酸化膜２０５を形成する工程を示す図である。酸化膜２０５は、導体層２０４の絶縁膜として使用される。
【００３５】
図２（ｇ）は、酸化膜２０５を化学機械研磨（ＣＭＰ：Chemical Mechanical Polishing）する工程を示す図である。ＣＭＰは、研磨剤（砥粒）自体が有する表面化学作用または研磨液に含まれる化学成分の作用により、研磨剤と研磨対象物の相対運動による機械的研磨（表面除去）効果を増大させ、高速かつ平滑な研磨面を得る技術である。ＣＭＰを行うことにより、酸化膜２０５の表面が平滑なセンサ形成ウェハ２００が形成される。
【００３６】
図２（ｈ）は、レジスト２０６を形成する工程を示す図である。レジスト２０６は、導体層２０４のうち電極パッドとして導通を確保する必要のある部分の酸化膜２０５を除去するために、導通を確保する部分以外の部分に形成される。レジスト２０６の種類は、様々あるが、センサ側基材２０１の材質等に合わせて選択すればよい。
【００３７】
図２（ｉ）は、ドライエッチング工程を示す図である。ドライエッチング工程により、酸化膜２０５のうち、レジスト２０６が形成されていない部分を除去し、導体層２０４のうち、電極パッドとして使用される導通を確保する部分が露出される。なお、本実施形態では、ドライエッチング工程により酸化膜２０５を除去したが、これには限定されず、ウェットエッチング等、その他の手法を用いてもよい。
【００３８】
図２（ｊ）は、レジスト２０６を除去する工程を示す図である。レジスト２０６を除去する方法は、レジスト２０６の材料に合わせて選択すればよく、どのような方法でもかまわない。この工程によりセンサ形成ウェハ２００が形成される。
【００３９】
図３は、センサ形成ウェハ２００の構成の一例を示す図であり、図３（ａ）は、センサ形成ウェハ２００の導体層２０４が設けられた側の面を示す図であり、図３（ｂ）は、図３（ａ）に示すＩＩＩｂ断面を示す図である。
【００４０】
図３（ａ）、図３（ｂ）に示すように、センサ形成ウェハ２００の一方の面には、導体層２０４と、酸化膜２０５が現れる。回路パターンの形状については、後述の図８を使用して説明する。
【００４１】
図４は、本発明に係る熱式フローセンサ１００の流路形成ウェハ４００の製造工程を示す図である。
【００４２】
図４（ａ）は、流路形成ウェハ４００を形成する流路側基材４０１を形成する工程を示す図である。流路側基材４０１の材質は、シリコンやガラス等が使用できる。
【００４３】
図４（ｂ）は、流路側基材４０１にマスク４０２を形成する工程を示す図である。マスク４０２は、後述する流路溝４０３、及び、電極露出用溝４０４を形成する部分以外に形成される。マスク４０２には、様々な手法があるが、流路溝４０３、及び、電極露出用溝４０４を形成する方法に合わせて、いずれかの手法を選択すればよく、特に限定はない。
【００４４】
図４（ｃ）は、流路溝４０３、及び、電極露出用溝４０４を形成する工程を示す図である。流路溝４０３、電極露出用溝４０４を形成する方法としては、ドライエッチング、ウェットエッチング、サンドブラスト等、様々な工法が適用可能であるが、特に限定はない。
【００４５】
図４（ｄ）は、マスク４０２を除去する工程を示す図である。この工程もマスク４０２の種類に合わせて選択すればよく、特に限定はない。
【００４６】
図４（ｅ）は、流路側基材４０１に酸化膜４０５を形成する工程を示す図である。酸化膜４０５は、流路８０１として使用される流路溝４０３等が流路８０１を流れる流体により腐食されることなどを保護する効果がある。この工程により流路形成ウェハ４００が形成される。
【００４７】
図５は、流路形成ウェハ４００の構成の一例を示す図である。図５（ａ）は、流路形成ウェハ４００の流路溝４０３、及び、電極露出用溝４０４が設けられた側の面を示す図であり、図５（ｂ）は、図５（ａ）に示すＶｂ断面を示す図である。
【００４８】
図５（ａ）、図５（ｂ）に示すように、流路形成ウェハ４００の一方の面には、流路溝４０３と、電極露出用溝４０４が形成される。流路溝４０３は、後述するように流路８０１として使用され、電極露出用溝４０４は、後述するように、流路側基材４０１のうち除去部６０５として取り除かれる部分に形成される。
【００４９】
図６は、本発明に係る熱式フローセンサ１００のセンサ形成ウェハ２００及び流路形成ウェハ４００の接合及びダイシング工程の一例を示す図である。
【００５０】
図６（ａ）は、センサ形成ウェハ２００及び流路形成ウェハ４００を接合する前の状態を示す図である。センサ形成ウェハ２００の導体層２０４が形成された面と、流路形成ウェハ４００の流路溝４０３及び電極露出用溝４０４が形成された面とが向い合うように配置される。
【００５１】
図６（ｂ）は、センサ形成ウェハ２００及び流路形成ウェハ４００を接合する工程を示す図である。接合する工法としては、接着材による接合、イオン接合、保護膜同士を接合する直接接合（例えば、低温プラズマ接合等）があるが、特に限定はなく、基材として使用される材質に合わせて選択すればよい。
【００５２】
図６（ｃ）は、第１のダイシング工程を示す図である。第１のダイシング工程は、センサ形成ウェハ２００側に第１のダイシングテープ６０１を接着し、その後流路形成ウェハ４００のみを切断する。第１のダイシング切断面６０２は、後述する除去部６０５を取り除くために、電極露出用溝４０４の流路溝４０３側の端に対応する部分とする。
【００５３】
図６（ｄ）は、第２のダイシング工程を示す図である。第２のダイシング工程は、流路形成ウェハ４００側に第２のダイシングテープ６０３を接着し、その後センサ形成ウェハ２００及び流路形成ウェハ４００の両方を切断する。第２のダイシング切断面６０４は、チップ形状に切断するために、電極露出用溝４０４の流路溝４０３の反対側の端の部分とする。第１のダイシング工程及び第２のダイシング工程により、流路形成ウェハ４００の第１のダイシング切断面６０２と第２のダイシング切断面６０４に挟まれた、電極露出用溝４０４に対応する部分は、他の部分と接合する部分がなくなり、除去部６０５として取り除かれる。
【００５４】
図６（ｅ）は、接合及びダイシング工程が終わり、チップ形状の熱式フローセンサ１００が複数個並んだ状態を示す図である。図６（ｅ）に示すように、チップの取り数は、センサ側基材２０１、及び、流路側基材４０１の大きさ、チップ形状の大きさにより決定される。チップの大きさ、及び、厚さは、流路８０１を流れる流体の種類あるいは、これに必要とされる強度などにより決定される。センサ側基材２０１、及び、流路側基材４０１の大きさ、及び、チップ形状の大きさ、及び、厚さなどは、使用される流体、コスト等に合わせて選択すればよい。
【００５５】
図７は、図６（ｂ）の矢視ＶＩＩに示す方向から見た、センサ形成ウェハ２００及び流路形成ウェハ４００の接合及びダイシングの対応関係を示す図である。
【００５６】
図７に示すように、流路形成ウェハ４００の流路溝４０３は、センサ形成ウェハ２００のヒータ及びセンサ部７０２に対応する位置に配置され、流路形成ウェハ４００の電極露出用溝４０４は、センサ形成ウェハ２００の電極パッド７０１に対応する位置に配置される。また、電極露出用溝４０４の流路溝４０３側の端に対応する部分には、第１のダイシング切断面６０２が示され、電極露出用溝４０４の流路溝４０３の反対側の端の部分と、電極パッド７０１に平行し、隣り合うチップの間の部分には、第２のダイシング切断面６０４が示される。
【００５７】
図８は、本発明に係る熱式フローセンサ１００のチップ形状の一例を示す図であり、図８（ａ）は、熱式フローセンサ１００の電極パッド７０１が現れている方向からみた上面図であり、図８（ｂ）は、図８（ａ）に示すＶＩＩＩｂ断面を示す図であり、図８（ｃ）は、図８（ｂ）に示すＶＩＩＩｃ断面を示す図であり、図８（ｄ）は、図８（ｂ）に示すＶＩＩＩｄ断面を示す図である。
【００５８】
図８（ａ）、図８（ｂ）に示すように、除去部６０５が取り除かれた部分に電極パッド７０１が現れ、電源、駆動回路などと熱式フローセンサ１００とを電気接続が可能になる。また、図８（ｂ）、図８（ｄ）に示すように、流路形成ウェハ４００の流路溝４０３に酸化膜４０５が被さっている部分と、センサ形成ウェハ２００の酸化膜２０５が被さっている部分により、流路８０１が形成される。酸化膜２０５及び酸化膜４０５は、流路８０１を流れる流体の腐食性などを保護する効果がある。また、図８（ｃ）、図８（ｄ）に示すように、ヒータ及びセンサ部７０２は、流路８０１に対して上流側から流体温度センサＲｒ１、上流温度センサＲｕ、ヒータＲｈ、下流温度センサＲｄ、流体温度センサＲｒ２として形成される。
【００５９】
図９は、本発明に係る熱式フローセンサ１００の回路構成の一例を示す図であり、図９（ａ）は、ヒータ定温度差制御回路９００を示す図である。図９（ｂ）は、センサ出力回路を示す図である。
【００６０】
ヒータ素子Ｒｈの温度上昇とセンサ出力は比例するため、ヒータ駆動方式にセンサの流量特性は大きく影響を受ける。このため、どのような駆動方式を選択するかが重要となる。ヒータ駆動方式には、ヒータ素子に一定の電圧を印加する定電圧駆動方式、ヒータ素子に一定の電流を流す定電流駆動方式、ヒータ素子に印加する電圧と電流をモニタし、一定の電力を印加する定電力駆動方式、定温度差駆動方式の４つの方式が考えられ、これらのどの方式を採用することも可能であるが、ここでは、定温度差駆動方式を使用して説明する。
【００６１】
図９（ａ）に示すように、ヒータ定温度差制御回路９００は、流体温度センサＲｒと、ヒータ素子Ｒｈと、２つの抵抗Ｒによりブリッジ回路が構成され、流体温度センサＲｒとヒータ素子Ｒｈからの出力の差がコンパレータＣＯＭＰ１に入力され、コンパレータＣＯＭＰ１の出力ブリッジ回路の電源回路に接続されたトランジスタＴｒ１のベースに接続される。このような回路構成により、流体温度センサＲｒとヒータ素子Ｒｈの抵抗比が一定になるように制御される。ヒータ素子Ｒｈの周囲温度からの温度差は、この抵抗比に比例するため、結果的にある一定のヒータ温度上昇になるように制御される。このため、流量特性カーブは他の３つの方式に比較して、高流速側での飽和度が最も少なく、流量計測範囲を広く取ることができる。なお、本実施形態においては、図１に示すように、流体温度センサＲｒ１は、左側から右側へ流体が流れる時の流体温度センサとして設けられ、流体温度センサＲｒ２は、右側から左側へ流体が流れる時の流体温度センサとして設けられている。このため、図９（ａ）の流体温度センサＲｒは、流体温度センサＲｒ１として算出される。
【００６２】
図９（ｂ）に示すように、センサ出力回路９１０は、２つの同一の抵抗Ｒを直列に接続したその中点の出力と、上流温度センサＲｕと下流温度センサＲｄを直列に接続したその中点の出力をコンパレータＣＯＭＰ２に入力し、ＣＯＭＰ２の出力をセンサ出力として出力する回路である。
【００６３】
以上説明したように、本発明の熱式フローセンサ及びその製造方法によれば、従来必要とされた余計な工程を不要としつつ、安価な工法により、電極パッドを露出させることができ、且つ、クリーン度を上げることができる。
【符号の説明】
【００６４】
１０  流路系
１１  本体
１２  主流路
１３  バイパス流路
１４  パッキン
１００  熱式フローセンサ
２００  センサ形成ウェハ
２０１  センサ側基材
２０２  酸化膜
２０３  レジスト
２０４  導体層
２０５  酸化膜
４００  流路形成ウェハ
４０１  流路側基材
４０２  マスク
４０３  流路溝
４０４  電極露出用溝
４０５  酸化膜
６０１  第１のダイシングテープ
６０２  第１のダイシング切断面
６０３  第２のダイシングテープ
６０４  第２のダイシング切断面
６０５  除去部
７０１  電極パッド
７０２  ヒータ及びセンサ部
８０１  流路
９００  ヒータ定温度差制御回路
９１０  センサ出力回路
ＣＯＭＰ１、ＣＯＭＰ２  コンパレータ
Ｒ  抵抗
Ｒｈ  ヒータ素子
Ｒｕ  上流温度センサ
Ｒｄ  下流温度センサ
Ｒｒ、Ｒｒ１、Ｒｒ２  流体温度センサ
【図１】
2016142710.tif 000003
【図２】
2016142710.tif 000004
【図３】
2016142710.tif 000005
【図４】
2016142710.tif 000006
【図５】
2016142710.tif 000007
【図６】
2016142710.tif 000008
【図７】
2016142710.tif 000009
【図８】
2016142710.tif 000010
【図９】
2016142710.tif 000011